【事件の表示】
　特願２００４−１８２７１８「半導体発光装置」拒絶査定不服審判事件〔平成１６年　９月３０日出願公開、特開２００４−２７４０８７〕について、次のとおり審決する。
【結　論】
　本件審判の請求は、成り立たない。
【理　由】
１．手続の経緯・本願発明
　本願は、平成１０年７月２７日に出願した特願平１０−２１１０３３号の一部を平成１６年６月２１日に新たな特許出願としたものであって、平成１８年８月７日及び同年１１月１０日に手続補正がなされ、同年１２月８日付けで前記同年１１月１０日付けの手続補正が却下されるとともに同日付けで拒絶査定がなされ、これに対し、平成１９年１月１５日に拒絶査定不服審判請求がなされるとともに同年２月１４日に手続補正がなされ、その後当審において、平成２０年４月３０日付けで前記平成１９年２月１４日付けの手続補正が却下されるとともに同日付けで拒絶理由が通知され、平成２０年６月３０日に手続補正書が提出されたものである。
　そして、その請求項に係る発明は、同年６月３０日付け手続補正書で補正された特許請求の範囲の請求項１、２に記載された事項により特定されるものであると認められるところ、請求項１に係る発明は次のものである。
　
「【請求項１】
　一対の配線導体と、
　該一対の配線導体の一方の端部に載置され且つ発光波長のピークが４４０ｎｍから４７０ｎｍのＧａＮ系の青色発光ダイオードチップから成る半導体発光素子と、
　該半導体発光素子の一方の主面に形成された電極と前記一対の配線導体の少なくとも一方との間を電気的に接続するボンディングワイヤと、
　前記半導体発光素子、ボンディングワイヤ及び配線導体の一方の端部を被覆する光透過性の樹脂封止体とを備え、
　前記樹脂封止体は、前記半導体発光素子を被覆すると共に一方の端部から前記一対の配線導体の他方の端部が導出された樹脂本体と、前記半導体発光素子を載置した一方の前記配線導体の端部より外側を構成して前記樹脂本体の他方の端部に一体に形成され且つ前記半導体発光素子からの光を外部に放出する発光部と、前記半導体発光素子、ボンディングワイヤ及び配線導体から一定距離離間して、前記樹脂封止体の発光部内のみの前記樹脂封止体の先端部に集中して分布される蛍光体とを備え、
　賦活剤としてＣｅを適量添加したＹＡＧの結晶粉末を前記蛍光体に使用し、
　前記半導体発光素子から放出された光を前記樹脂封止体の先端部に集中して分布する蛍光体で所望の発光波長に変換して前記樹脂封止体の外部に放出し、
　前記半導体発光素子から放出された光のうちの一部は、前記蛍光体で波長変換されずに前記樹脂封止体の外部に放出され、波長変換された光と波長変換されない光とが混色した光を前記樹脂封止体の外部から観察できることを特徴とする半導体発光装置。」（以下「本願発明」という。）
　
　
２．刊行物の記載事項
　原出願の出願前に頒布され、当審における拒絶理由に引用した国際公開９８／５０７８号（以下「引用刊行物」という。）には、図面とともに以下の事項が記載されている。
　
ア　「技術分野
  本願発明は、ＬＥＤディスプレイ、バックライト光源、信号機、照光式スイッチ及び各種インジケータなどに利用される発光ダイオードに関し、特に発光素子が発生する光の波長を変換して発光するフォトルミネセンス蛍光体を備えた発光装置及びそれを用いた表示装置に関する。」（第１頁第３〜７行）
イ　「すなわち、本発明の発光装置は、発光層が半導体である発光素子と、該発光素子によって発光された光の一部を吸収して、吸収した光の波長と異なる波長を有する光を発光するフォトルミネセンス蛍光体とを備えた発光装置において、
  前記発光素子の発光層が窒化物系化合物半導体からなり、かつ前記フォトルミネセンス蛍光体が、Ｙ、Ｌｕ、Ｓｃ、Ｌａ、Ｇｄ及びＳｍからなる群から選ばれた少なくとも１つの元素と、Ａｌ、Ｇａ及びＩｎからなる群から選ばれる少なくとも１つの元素とを含み、かつセリウムで付活されたガーネット系蛍光体を含むことを特徴とする。
  ここで、窒化物系化合物半導体（一般式ＩｎｉＧａｊＡｌｋＮ、ただし、０≦ｉ，０≦ｊ，０≦ｋ，ｉ＋ｊ＋ｋ＝１）としては、ＩｎＧａＮや各種不純物がドープされたＧａＮを始め、種々のものが含まれる。
　また、前記フォトルミネセンス蛍光体としては、Ｙ３Ａｌ５Ｏ１２：Ｃｅ、Ｇｄ３Ｉｎ５Ｏ１２：Ｃｅを始め、上述のように定義される種々のものが含まれる。」（第４頁第１８行〜第５頁第７行）
ウ　「図１の発光ダイオード１００は、マウント・リード１０５とインナーリード１０６とを備えたリードタイプの発光ダイオードであって、マウント・リード１０５のカップ部１０５ａ上に発光素子１０２が設られ、カップ部１０５ａ内に、発光素子１０２を覆うように、所定のフォトルミネッセンス蛍光体を含むコーティング樹脂１０１が充填された後に、樹脂モールドされて構成される。ここで、発光素子１０２のｎ側電極及びｐ側電極はそれぞれ、マウント・リード１０５とインナーリード１０６とにワイヤー１０３を用いて接続される。
  以上のように構成された発光ダイオードにおいては、発光素子（ＬＥＤチップ）１０２によって発光された光（以下、ＬＥＤ光という。）の一部が、コーティング樹脂１０１に含まれたフォトルミネッセンス蛍光体を励起してＬＥＤ光と異なる波長の蛍光を発生させて、フォトルミネッセンス蛍光体が発生する蛍光と、フォトルミネッセンス蛍光体の励起に寄与することなく出力されるＬＥＤ光とが混色されて出力される。その結果、発光ダイオード１００は、発光素子１０２が発生するＬＥＤ光とは波長の異なる光も出力する。」（第１３頁第２０行〜第１４頁第１１行）
エ　「一般的に蛍光体においては、短い波長の光を吸収して長い波長の光を放出する蛍光体の方が、長い波長の光を吸収して短い光を放出する蛍光体に比較して変換効率が優れているので、本発明の発光ダイオードにおいては、短い波長の青色系の発光が可能な窒化ガリウム系半導体発光素子（発光素子）を用いることが好ましい。また、高い輝度の発光素子を用いることが好ましいことは言うまでもない。」（第１５頁第１９〜２４行）
オ　「実施の形態１．
  本願発明に係る実施の形態１の発光ダイオードは、発光層に高エネルギーバンドギャッブを有し、青色系の発光が可能な窒化ガリウム系化合物半導体素子と、黄色系の発光が可能なフォトルミネセンス蛍光体である、セリウムで付活されたガーネット系フォトルミネッセンス蛍光体とを組み合わせたものである。これによって、この実施形態１の発光ダイオードにおいて、発光素子１０２，２０２からの青色系の発光と、その発光によって励起されたフォトルミネセンス蛍光体からの黄色系の発光光との混色により白色系の発光が可能になる。」（第１６頁第１７行〜第１７頁第１行）
カ　「（フォトルミネセンス蛍光体）
　本実施形態１の発光ダイオードに用いられるフォトルミネセンス蛍光体は、半導体発光層から発光された可視光や紫外線で励起されて、励起した光と異なる波長を有する光を発光するフォトルミネセンス蛍光体である。具体的にはフォトルミネセンス蛍光体として、Ｙ、Ｌｕ、Ｓｃ、Ｌａ、Ｇｄ及びＳｍから選択された少なくとも１つの元素と、Ａｌ、Ｇａ及びＩｎから選択された少なくとも１つの元素とを含み、セリウムで付活されたガーネット系蛍光体である。本発明では、該蛍光体として、ＹとＡｌを含みセリウムで付活されたイットリウム・アルミニウム・ガーネット系蛍光体、又は、一般式（Ｒｅ１−ｒＳｍｒ）３（Ａｌ１−ｓＧａｓ）５Ｏ１２：Ｃｅ（但し、０≦ｒ＜１、０≦ｓ≦１、Ｒｅは、Ｙ、Ｇｄから選択される少なくとも一種）であらわされる蛍光体を用いることが好ましい。窒化ガリウム系化合物半導体を用いた発光素子が発光するＬＥＤ光と、ボディーカラーが黄色であるフォトルミネセンス蛍光体が発光する蛍光光が補色関係にある場合、ＬＥＤ光と、蛍光光とを混色して出力することにより、全体として白色系の光を出力することができる。
　本実施形態１において、このフォトルミネセンス蛍光体は、上述したように、コーテイング樹脂１０１，コーテイング部２０１を形成する樹脂（詳細は後述する）に混合して使用されるので、窒化ガリウム系発光素子の発光波長に対応させて、樹脂などとの混合比率、若しくはカップ部１０５又は筺体２０４の凹部への充填量を種々調整することにより、発光ダイオードの色調を、白色を含め電球色など任意に設定できる。
　このフォトルミネセンス蛍光体の含有分布は、混色性や耐久性にも影響する。例えば、フォトルミネセンス蛍光体が含有されたコーティング部やモールド部材の表面側から発光素子に向かってフォトルミネセンス蛍光体の分布濃度を高くした場合は、外部環境からの水分などの影響をより受けにくくでき、水分による劣化を防止することができる。他方、フォトルミネセンス蛍光体を、発光素子からモールド部材等の表面側に向かって分布濃度が高くなるように分布させると、外部環境からの水分の影響を受けやすいが発光素子からの発熱、照射強度などの影響をより少なくでき、フォトルミネセンス蛍光体の劣化を抑制することができる。このような、フォトルミネセンス蛍光体の分布は、フォトルミネセンス蛍光体を含有する部材、形成温度、粘度やフォトルミネセンス蛍光体の形状、粒度分布などを調整することによって種々の分布を実現することができ、発光ダイオードの使用条件などを考慮して分布状態が設定される。
　実施形態１のフォトルミネセンス蛍光体は、発光素子１０２，２０２と接したり、あるいは近接して配置され、照射強度（Ｅｅ）として、３Ｗ・ｃｍ−２以上１０Ｗ・ｃｍ−２以下においても高効率でかつ十分な耐光性を有するので、該蛍光体を用いることにより、優れた発光特性の発光ダイオードを構成することができる。
　また、実施形態１のフォトルミネセンス蛍光体は、ガーネット構造を有するので、熱、光及び水分に強く、図３Ａに示すように、励起スペクトルのピークを４５０ｎｍ付近にすることができる。また、発光ピークも図３Ｂに示すように、５８０ｎｍ付近にあり７００ｎｍまで裾を引くブロードな発光スペクトルを持つ。また、実施形態１のフォトルミネッセンス蛍光体は、結晶中にＧｄを含有することにより、４６０ｎｍ以上の長波長域における励起発光効率を高くすることができる。Ｇｄの含有量の増加により、発光ピーク波長が、長波長に移動し、全体の発光波長も長波長側にシフトする。すなわち、赤みの強い発光色が必要な場合、Ｇｄによる置換量を多くすることで達成することができる。一方、Ｇｄが増加するするとともに、青色光によるフォトルミネッセンスの発光輝度は低下する傾向にある。
　特に、ガーネット構造を有するＹＡＧ系蛍光体の組成の内、Ａｌの一部をＧａで置換することで、発光波長が、短波長側にシフトするまた組成のＹの一部をＧｄで置換することにより、発光波長が長波長側にシフトする。
  表１に一般式（Ｙ１−ａＧｄａ）３（Ａｌ１−ｂＧａｂ）５Ｏ１２：Ｃｅで表されるＹＡＧ系蛍光体の組成とその発光特性を示す。
　
　表１に示した各特性は、４６０ｎｍの青色光で励起して測定した。」（第１７頁第８行〜第２０頁第１行）
キ　「本実施形態１の発光ダイオードにおいて白色系を発光させる場合は、フォトルミネセンス蛍光体との補色関係や樹脂の劣化等を考慮して発光素子の発光波長は４００ｎｍ以上５３０ｎｍ以下に設定することが好ましく、４２０ｎｍ以上４９０ｎｍ以下に設定することがより好ましい。発光素子とフォトルミネセンス蛍光体との効率をそれぞれより向上させるためには、４５０ｎｍ以上４７５ｎｍ以下に設定することがさらに好ましい。実施形態１の白色系発光ダイオードの発光スペクトルの一例を図４に示す。ここに例示した発光ダイオードは、図１に示すリードタイプのものであって、後述する実施例１の発光素子とフォトルミネッセンス蛍光体とを用いたものである。ここで、図４において、４５０ｎｍ付近にピークを持つ発光が発光素子からの発光であり、５７０ｎｍ付近にピークを持つ発光が発光素子によって励起されたフォトルミネセンスの発光である。
　また、表１に示した蛍光体とピーク波長４６５ｎｍの青色ＬＥＤ（発光素子）とを組み合わせた白色系発光ダイオードで、実現できる色再現範囲を図１６に示す。」（第２４頁第２５行〜第２５頁第１４行）
ク　「（モールド部材１０４）
  モールド部材１０４は、発光素子１０２、導電性ワイヤー１０３、フォトルミネセンス蛍光体が含有されたコーティング部１０１などを外部から保護する機能を有する。本実施形態１では、モールド部材１０４にさらに拡散剤を含有させることが好ましく、これによって発光素子１０２からの指向性を緩和させることができ、視野角を増やすことができる。また、モールド部材１０４は、発光ダイオードにおいて、発光素子からの発光を集束させたり拡散させたりするレンズ機能を有する。従って、モールド部材１０４は、通常、凸レンズ形状、凹レンズ形状さらには、発光観測面から見て楕円形状やそれらを複数組み合わせた形状に形成される。また、モールド部材１０４は、それぞれ異なる材料を複数積層した構造にしてもよい。モールド部材１０４の具体的材料としては、主としてエポキシ樹脂、ユリア樹脂、シリコーン樹脂などの耐候性に優れた透明樹脂や硝子などが好適に用いられる。また、拡散剤としては、チタン酸バリウム、酸化チタン、酸化アルミニウム、酸化珪素等を用いることができる。さらに、本願発明では、拡散剤に加えてモールド部材中にフォトルミネセンス蛍光体を含有させてもよい。すなわち、本願発明では、フォトルミネセンス蛍光体をコーティング部に含有させても良いし、モールド部材中に含有させてもよい。モールド部材にフォトルミネセンス蛍光体を含有させることにより、視野角をさらに大きくすることができる。」（第２９頁第１２行〜第３０頁第６行）
　
ケ　ここで、図１から、
（ア）「マウント・リード１０５」の一方の端部に「発光素子１０２」が載置されること、
（イ）「モールド部材１０４」は、「コーティング部１０１に覆われた発光素子１０２」、「ワイヤ１０３」、「マウント・リード１０５及びインナーリード１０６」の一方の端部を被覆すること、
（ウ）「モールド部材１０４」は、その下端部から「マウント・リード１０５及びインナーリード１０６」の他方の端部が露出された部分（以下「本体部分」という。）と、「発光素子１０２」（半導体発光素子）の上方側で前記本体部分の上端部に一体に形成されて前記半導体発光素子からの光を外部に放出する部分（以下「発光部分」という。）とを備えていること、
が見て取れる。
コ　図１、図２、上記エ及びキから、「発光素子１０２」として用いられる（青色発光が可能な窒化ガリウム系）半導体発光素子の一方の面（上面）には電極が形成され、該電極と前記マウント・リード及びインナーリードとの間には、両者を電気的に接続するワイヤー１０３が設けられていること、が理解できる。
サ　「モールド部材１０４」は透明樹脂で構成されるから（上記摘記事項ク参照。）、当該「モールド部材１０４」は光透過性であるといえる。
シ　「モールド部材１０４」は、フォトルミネセンス蛍光体を含有することが記載されている（上記摘記事項ク参照。）。
ス　上記カの表１のＮｏ．１に示されたフォトルミネセンス蛍光体は、Ｇｄ含有量及びＧａ含有量が０．０であるからＹＡＧからなる蛍光体である、といえる。
セ　上記ウ、カ及びケから、引用刊行物に示された「発光装置」は、半導体発光素子から放出された光をモールド部材に含有されるフォトルミネセンス蛍光体で所望の発光波長に変換して前記モールド部材の外部に放出し、前記半導体素子から放出された光のうちの一部は、前記フォトルミネセンス蛍光体で波長変換されずに前記モールド部材の外部に放出され、波長変換された光と波長変換されない光とが混色した光を前記モールド部材の外部から観察できるものである、といえる。
　
　したがって、上記記載事項等を総合すると、引用刊行物には次の発明（以下「引用発明」という。）が記載されているものと認められる。
　
「マウント・リード及びインナーリードと、
　該マウント・リードの一方の端部に載置されるとともにコーティング部に覆われ、且つピーク波長が４６５ｎｍである青色発光が可能な窒化ガリウム系半導体発光素子と、
　該半導体発光素子の一方の面に形成された電極と前記マウント・リード及びインナーリードとの間を電気的に接続するワイヤーと、
　前記コーティング部に覆われた発光素子、ワイヤー、マウント・リード及びインナーリードの一方の端部を被覆する光透過性のモールド部材とを備え、
　前記モールド部材は、前記コーティング部に覆われた発光素子を被覆すると共にその下端部から前記マウント・リード及びインナーリードの他方の端部が露出された本体部分と、前記半導体発光素子の上方側で前記本体部分の上端部に一体に形成されて前記半導体発光素子からの光を外部に放出する発光部分とを備え、前記モールド部材はフォトルミネセンス蛍光体を含有し、
　セリウムで付活されたＹＡＧを前記フォトルミネセンス蛍光体に使用し、
　前記半導体発光素子から放出された光を前記モールド部材の表面側に向かってその分布濃度が高くなるように分布する前記フォトルミネセンス蛍光体で所望の発光波長に変換して前記モールド部材の外部に放出し、
　前記半導体発光素子から放出された光のうちの一部は、前記フォトルミネセンス蛍光体で波長変換されずに前記モールド部材の外部に放出され、波長変換された光と波長変換されない光とが混色した光を前記モールド部材の外部から観察できる発光装置。」
　
　
３．対比、判断
　本願発明と引用発明を対比する。
ａ）引用発明の「マウント・リード及びインナーリード」、「マウント・リードの一方の端部」、「ピーク波長」、「（青色発光が可能な窒化ガリウム系）半導体発光素子」、「一方の面」、「電極」、「ワイヤー」、「マウント・リード及びインナーリードの一方の端部」、「モールド部材」、「下端部」、「他方の端部」、「露出された」、「本体部分」、「本体部分の上端部」、「発光部分」、「フォトルミネセンス蛍光体」、「セリウムで付活されたＹＡＧ」及び「発光装置」は、それぞれ本願発明の「一対の配線導体」、「一対の前記配線導体の一方の端部」、「発光波長のピーク」、「（ＧａＮ系の青色発光ダイオードチップから成る）半導体発光素子」、「一方の主面」、「電極」、「ボンディングワイヤ」、「配線導体の一方の端部」、「樹脂封止体」、「一方の端部」、「他方の端部」、「導出された」、「樹脂本体」、「樹脂本体の他方の端部」、「発光部」、「蛍光体」、「賦活剤としてＣｅを適量添加したＹＡＧの結晶粉末」及び「半導体発光装置」に相当する。
ｂ）引用発明の「青色発光が可能な窒化ガリウム系化合物半導体発光素子」の「ピーク波長が４６５ｎｍ」であることから、引用発明の当該「半導体発光素子」は、本願補正発明の「発光波長のピークが４４０ｎｍから４７０ｎｍ」なる事項を備えている。
ｃ）引用発明の「ワイヤー」は、「半導体発光素子の一方の面に形成された電極と前記マウント・リード及びインナーリードとの間を電気的に接続する」から、引用発明の該「ワイヤー」は、本願補正発明の「半導体発光素子の一方の主面に形成された電極と前記一対の配線導体の少なくとも一方との間を電気的に接続する」なる事項を備えている。
ｄ）引用発明の「発光部分」は、「前記半導体発光素子の上方側で前記本体部分の上端部に一体に形成されて前記半導体発光素子からの光を外部に放出する」部分であるから、引用発明の当該「発光部分」は、本願補正発明の、「前記半導体発光素子を載置した一方の前記配線導体の端部より外側を構成して前記樹脂本体の他方の端部に一体に形成され且つ前記半導体発光素子からの光を外部に放出する発光部」に相当する、といえる。
　
　したがって、両者は、　  
「一対の配線導体と、
　該一対の配線導体の一方の端部に載置され且つ発光波長のピークが４４０ｎｍから４７０ｎｍのＧａＮ系の青色発光ダイオードチップから成る半導体発光素子と、
　該半導体発光素子の一方の主面に形成された電極と前記一対の配線導体の少なくとも一方との間を電気的に接続するボンディングワイヤと、
　前記ボンディングワイヤ及び配線導体の一方の端部を被覆する光透過性の樹脂封止体とを備え、
　前記樹脂封止体は、前記半導体発光素子を被覆すると共に一方の端部から前記一対の配線導体の他方の端部が導出された樹脂本体と、前記半導体発光素子を載置した一方の前記配線導体の端部より外側を構成して前記樹脂本体の他方の端部に一体に形成され且つ前記半導体発光素子からの光を外部に放出する発光部と、前記樹脂封止体の発光部内に分布される蛍光体とを備え、
　賦活剤としてＣｅを適量添加したＹＡＧの結晶粉末を前記蛍光体に使用し、
　前記半導体発光素子から放出された光を前記樹脂封止体の発光部内に分布する蛍光体で所望の発光波長に変換して前記樹脂封止体の外部に放出し、
　前記半導体発光素子から放出された光のうちの一部は、前記蛍光体で波長変換されずに前記樹脂封止体の外部に放出され、波長変換された光と波長変換されない光とが混色した光を前記樹脂封止体の外部から観察できる半導体発光装置。」
である点で一致し、以下の点において相違する。
　
［相違点］：本願補正発明の蛍光体は、半導体発光素子、ボンディングワイヤ及び配線導体から一定距離離間して、樹脂封止体の発光部内のみの前記樹脂封止体の先端部に集中して分布されるのに対し、引用発明の蛍光体は、そのようにするものかどうか不明である点。
 　 
　上記［相違点］につき検討する。
　引用刊行物には、「フォトルミネセンス蛍光体を、発光素子からモールド部材等の表面側に向かって分布濃度が高くなるように分布させると、外部環境からの水分の影響を受けやすいが発光素子からの発熱、照射強度などの影響をより少なくでき、フォトルミネセンス蛍光体の劣化を抑制することができる。」との記載があるから（上記摘記事項カ）、引用発明においても蛍光体がかかる濃度分布となるように樹脂封止体（モールド部材）に含有させることは当業者が容易に想到し得ることといえ、樹脂封止体（モールド部材）の表面に向かって濃度が高くなるような分布として具体的にどのような分布とするかは、当業者が適宜設計し得ることである。そして、かかる分布とすることの意義が、蛍光体の劣化を抑制するために該蛍光体を発光素子から離れた位置に分布させることにあることに照らせば、蛍光体の分布構造として、当該蛍光体を、半導体発光素子、ボンディングワイヤ及び配線導体から一定距離離間するとともに、樹脂封止体の発光部内のみの前記樹脂封止体の先端部に集中して分布させるようになすことは、当業者が適宜設計的になし得る程度のことというべきであるから、上記［相違点２］に係る本願発明の技術的事項とすることは、当業者が容易になし得ることである。
　
　そして、本願補正発明によってもたされる効果は、上記引用発明及び周知技術から当業者が予測し得る程度以上のものとはいえない。
　
　
４．むすび
　したがって、本願発明は、引用発明及び周知技術から当業者が容易に発明をすることができたものであるから、特許法第２９条第２項の規定により特許を受けることができない。
　
　よって、結論のとおり審決する。